(57)【要約】  【課題】自局に設定するスクランブリングコード等の無線通信用のパラメータを、周辺基地局で設定されているパラメータと重複することを抑制し、より最適なパラメータを決定することができる基地局及び通信方法を提供する。  【解決手段】  予め暫定的に設定されている無線通信用の暫定パラメータを用いて生成した所定の無線信号を移動局向けに送信する無線信号送信部と、所定の無線信号を受信した移動局と無線通信を実行している第１周辺基地局から、第１パラメータを取得する第１情報取得部と、第２周辺基地局から受信した移動局向けの無線信号に基づいて、第２パラメータを取得する第２情報取得部と、有線回線で接続されている第３周辺基地局から、第３パラメータを取得する第３情報取得部と、取得された第１乃至第３パラメータの複数に基づいて、暫定パラメータに替えて自局で用いる無線通信用の恒久パラメータを決定するパラメータ決定部とを具備する。  【選択図】図２
2008124575.tif 000002
【特許請求の範囲】
【請求項１】
移動局との間で無線通信を実行すると共に、自局の周辺に設置されている一つ又は複数の周辺基地局との間で有線通信又は無線通信を実行する基地局であって、
予め暫定的に設定されている無線通信用の暫定パラメータを用いて生成した所定の無線信号を移動局向けに送信する無線信号送信部と、
前記所定の無線信号を受信した移動局と無線通信を実行している第１周辺基地局から、前記第１周辺基地局で設定されている無線通信用の第１パラメータを取得する第１情報取得部と、
自局の周辺に設置されている第２周辺基地局から受信した移動局向けの無線信号に基づいて、前記第２周辺基地局に設定されている無線通信用の第２パラメータを取得する第２情報取得部と、
有線回線で接続されている第３周辺基地局に対して、前記第３周辺基地局に設定されている無線通信用の第３パラメータの通知を要求する要求情報を送信する有線信号送信部と、
前記要求情報を受信した前記第３周辺基地局から、当該第３周辺基地局で設定されている前記第３パラメータを取得する第３情報取得部と、
取得された前記第１乃至第３パラメータの複数に基づいて、前記暫定パラメータに替えて自局で用いる無線通信用の恒久パラメータを決定するパラメータ決定部と
を具備することを特徴とする基地局。
【請求項２】
取得された前記第１周辺基地局に設定されている前記第１パラメータと、前記第２周辺基地局に設定されている前記第２パラメータと、前記第３周辺基地局に設定されている前記第３パラメータとに、自局と前記第１乃至第３周辺基地局との無線範囲の重複度合いに応じて順位を対応付ける順位設定部を更に具備し、
前記パラメータ決定部は、前記順位設定部によって対応付けられた前記順位に基づいて、所定の順位よりも高い前記第１乃至第３パラメータとは異なるパラメータを、前記恒久パラメータとして決定する
ことを特徴とする請求項１に記載の基地局。
【請求項３】
前記順位設定部は、前記第１乃至第３パラメータのそれぞれが異なる場合、前記第２パラメータよりも前記第１パラメータの前記順位を高く対応付けると共に、前記第３パラメータよりも前記第２パラメータの前記順位を高く対応付けることを特徴とする請求項２に記載の基地局。
【請求項４】
前記第１情報取得部は、複数の前記第１周辺基地局のそれぞれから、前記第１周辺基地局で設定されている第１パラメータと、前記移動局によって受信された前記第１周辺基地局からの無線信号の受信レベルとを取得し、
前記順位設定部は、前記第１情報取得部によって取得された複数の前記第１パラメータのそれぞれに対して、前記移動局によって受信された前記無線信号の受信レベルに応じて前記順位を対応付ける
ことを特徴とする請求項３に記載の基地局。
【請求項５】
前記第２情報取得部は、複数の前記第２周辺基地局のそれぞれから、前記第２周辺基地局で設定されている第２パラメータと、受信した前記無線信号の受信レベルとを取得し、
前記順位設定部は、前記第２情報取得部によって取得された複数の前記第２パラメータのそれぞれに対して、受信した前記無線信号の前記受信レベルに応じて前記順位を対応付ける
ことを特徴とする請求項３に記載の基地局。
【請求項６】
前記有線信号送信部は、有線回線に接続されている一つ又は複数の中継器を介して、複数の第３周辺基地局に対して前記要求情報を含む有線信号を送信し、
前記第３情報取得部は、複数の前記第３周辺基地局のそれぞれから、前記第３周辺基地局で設定されている第３パラメータと、自局から前記第３周辺基地局までの前記中継器の中継回数とを取得し、
前記順位設定部は、前記第３情報取得部によって取得された複数の前記第３パラメータのそれぞれに対して、前記中継器の中継回数に応じて前記順位を対応付ける
ことを特徴とする請求項３に記載の基地局。
【請求項７】
前記第２情報取得部は、複数の前記第２周辺基地局のそれぞれから、前記第２周辺基地局で設定されている第２パラメータと、受信した前記無線信号の受信レベルとを取得し、
前記順位設定部は、前記第１情報取得部によって取得された複数の前記第１パラメータのそれぞれに前記順位を設定する際、前記移動局によって受信された受信レベルが所定の受信レベル差以内の複数の第１パラメータの前記順位を、前記第２情報取得部によって取得された当該第１パラメータと同一の第２パラメータと、前記無線信号の受信レベルとに基づいて対応付ける
ことを特徴とする請求項４に記載の基地局。
【請求項８】
移動局との間で無線通信を実行すると共に、自局の周辺に設置されている一つ又は複数の周辺基地局との間で有線通信又は無線通信を実行する基地局における通信方法であって、
予め暫定的に設定されている無線通信用の暫定パラメータを用いて生成した所定の無線信号を移動局向けに送信する無線信号送信ステップと、
前記所定の無線信号を受信した移動局と無線通信を実行している第１周辺基地局から、前記第１周辺基地局で設定されている無線通信用の第１パラメータを取得する第１情報取得ステップと、
自局の周辺に設置されている第２周辺基地局から受信した移動局向けの無線信号に基づいて、前記第２周辺基地局に設定されている無線通信用の第２パラメータを取得する第２情報取得ステップと、
有線回線で接続されている第３周辺基地局に対して、前記第３周辺基地局に設定されている無線通信用の第３パラメータの通知を要求する要求情報を送信する有線信号送信ステップと、
前記要求情報を受信した前記第３周辺基地局から、当該第３周辺基地局で設定されている前記第３パラメータを取得する第３情報取得ステップと、
取得された前記第１乃至第３パラメータの複数に基づいて、前記暫定パラメータに替えて自局で用いる無線通信用の恒久パラメータを決定するパラメータ決定ステップと
を具備することを特徴とする通信方法。
【発明の詳細な説明】
【技術分野】
【０００１】
本発明は、移動局との間で無線通信を実行すると共に、自局の周辺に設置されている一つ又は複数の周辺基地局との間で有線通信又は無線通信を実行する基地局及び通信方法に関する。
【背景技術】
【０００２】
従来、移動通信システムでは、複数の移動局が、無線回線を共有して同時に通信を行う多元接続方式として、符号分割多元接続方式（以下、ＣＤＭＡ方式：Ｃｏｄｅ Ｄｉｖｉｓｉｏｎ Ｍｕｌｔｉｐｌｅ Ａｃｃｅｓｓ）、広帯域・符号分割多元接続方式（以下、Ｗ−ＣＤＭＡ方式：Ｗｉｄｅｂａｎｄ ＣＤＭＡ）、時分割多元接続方式（以下、ＴＤＭＡ方式：Ｔｉｍｅ Ｄｉｖｉｓｉｏｎ Ｍｕｌｔｉｐｌｅ Ａｃｃｅｓｓ）、周波数分割多元接続方式（以下、ＦＤＭＡ方式：Ｆｒｅｑｕｅｎｃｙ Ｄｉｖｉｓｉｏｎ Ｍｕｌｔｉｐｌｅ Ａｃｃｅｓｓ）等が知られている。
【０００３】
上述する多元接続方式の中で、例えば、ＣＤＭＡ方式によって、同一周波数帯域を複数の無線通信波で共有する移動通信システムでは、個々の無線通信波が、ランダムな符号系列である拡散コード（無線通信用のパラメータ）によって区別される。拡散コードは検出特性（自己相関特性） および異なる拡散コード間の識別特性（相互相関特性）が良いほどシステム効率が向上する。このため、系列長で決まる全てのランダムな符号組合せを用いることは無く、所要特性を得る符号系列を選択して用いる。したがって、高いシステム効率が求められる場合には拡散コードは限定され、割当可能な拡散コード数はシステムが想定する全同時通信波数を下回る。
【０００４】
特に、Ｗ−ＣＤＭＡ方式を用いた移動通信システムでは、下り回線で用いる拡散コードにおいて、高い検出特性や識別特性に加えて、低送信電力でも高品質な通信を実現するために異なる拡散コード間の相互干渉を低減できる符号直交性が求められる。このため、割当可能な拡散コード数は上り回線よりも少なくなる。
【０００５】
また、Ｗ−ＣＤＭＡを用いた移動通信システムでは、ユーザのデータを実際に広帯域拡散する拡散コードをチャネライゼーションコード、セル毎に重畳するセル間混信防止用のコードをスクランブリングコードと呼んでいる。
【０００６】
ここで、上述した移動通信システムで用いられるスクランブリングコードの数は、無限ではなく、５１２種類が規定されているのみであり、有効利用のため全セルで繰り返し使用されるが、混信を防ぐため、同一種のスクランブリングコードは、近距離に存在し、無線範囲が重複する複数の基地局間で使用されないように設定する必要がある。
【０００７】
よって、従来は、基地局の位置や装置・アンテナ構成に基づく計算機シミュレーションにより、基地局ごとに電波の到達エリアを推定し、無線範囲がオーバラップする複数の基地局同士に同一種のスクランブリングコードが設定されないように、計算機の支援を受けながら無線ネットワーク設計者が手動で設定していた。このため、トラヒックの増加に対応して新たな基地局を設置する場合には、設計者が設定を再実施する必要があった。さらに、かかるスクランブリングコードは、計算機シミュレーションの推定に基づいて設定されていたため、例えば、実際の現場と電波の到達する無線範囲に誤差が生じ、同一種のスクランブリングコードを用いる基地局間で混信が発生する場合があった。よって、このような場合には、設定をやり直す必要があり、これらの作業には多大な時間、設計者の労力、現場確認者の手間が費やされる。
【０００８】
この問題を解決するため、基地局が自動的に自基地局（自局）のスクランブリングコードを設定する技術が提案されている（例えば、特許文献１参照）。特許文献１に示される方法では、最初に、新設の基地局（以下、新設基地局）が、他の基地局（以下、周辺基地局）から移動局向けに送信される下り方向の無線信号を受信し、受信した下り方向の無線信号の制御チャネルを復調することで、周辺基地局で既に使用されているスクランブリングコード（下り方向）を検出する。そして新設基地局では、その検出結果を元に自基地局で使用するスクランブリングコード（下り方向）を自動的に決定する。
【０００９】
このような方法によれば、新設基地局が、検出した周辺基地局で使用されているスクランブリングコード（下り方向）と混信が生じないように、自基地局で使用するスクランブリングコード（下り方向）を決定することができる。
【００１０】
また、複数の基地局を制御する基地局制御局が、下り方向の無線信号を受信する移動局からの報告に基づいて、新設の基地局のスクランブリングコード（下り方向）を決定する技術も提案されている（例えば、特許文献２参照）。
【００１１】
特許文献２に示される方法では、例えば、新設基地局が、予め確保されている暫定的な暫定スクランブリングコードを用いて、自基地局を識別する基地局ＩＤを拡張した下り方向の無線信号を送信する。また、新設基地局と周辺基地局との無線範囲の重複するエリアに存在し、かつ周辺基地局と接続中の移動局が、当該基地局ＩＤを受信すると共に、接続中の周辺基地局を介して、新設基地局と周辺基地局とを制御する基地局制御局に、受信した基地局ＩＤを報告する。そして、基地局制御局は、移動局から報告された周辺基地局の基地局ＩＤに基づいて、周辺基地局を検出すると共に、周辺基地局で設定されているスクランブリングコード（下り方向）とは異なるように、新設基地局で恒久的に用いる恒久スクランブリングコード（下り方向）を決定する。
【００１２】
このような方法によれば、新設基地局と周辺基地局とが重複する無線範囲内に実際に存在する移動局からの報告に基づいて、周辺基地局で設定されているスクランブリングコード（下り方向）と混信が生じないように、新設基地局で使用するスクランブリングコード（下り方向）をより正確に決定することができる。
【特許文献１】特開２００２−２１８５２８号公報
【特許文献２】特開２００６−１４０８２９号公報
【発明の開示】
【発明が解決しようとする課題】
【００１３】
しかしながら、上述した方法には、次のような問題がある。特許文献１に示される方法では、例えば、新設基地局が、周辺基地局から下り方向の無線信号が到達しなくとも、自局の無線範囲と周辺基地局の無線範囲とが重複する場合がある。かかる場合、周辺基地局で設定されているスクランブリングコード（下り方向）を正しく取得できない。
【００１４】
特許文献２に示される方法では、新設基地局の無線範囲と周辺基地局の無線範囲とが互いに重複するエリア内に移動局が存在していない場合、周辺基地局のスクランブリングコード（下り方向）を取得できない。
【００１５】
このように、従来技術に係る方法では、無線範囲の重複する周辺基地局で設定されているスクランブリングコード（下り方向）を、正確に特定できない場合があり、その結果、新設基地局等の基地局に設定するスクランブリングコード（下り方向）を適切に設定できないという問題があった。
【００１６】
そこで、本発明は以上の点に鑑みてなされたものであり、自局に設定するスクランブリングコード等の無線通信用のパラメータを、周辺基地局で設定されているパラメータと重複することを抑制し、より最適なパラメータを決定することができる基地局及び通信方法を提供することを目的とする。
【課題を解決するための手段】
【００１７】
上記目的を達成するため、本発明の第１の特徴は、移動局との間で無線通信を実行すると共に、自局の周辺に設置されている一つ又は複数の周辺基地局との間で有線通信又は無線通信を実行する基地局（例えば、基地局１００_４）であって、予め暫定的に設定されている無線通信用の暫定パラメータ（暫定スクランブリングコード）を用いて生成した所定の無線信号（パイロット信号）を移動局（例えば、移動局６００_１）向けに送信する無線信号送信部（無線信号通信部１０２）と、前記所定の無線信号を受信した移動局と無線通信を実行している第１周辺基地局から、前記第１周辺基地局（例えば、基地局１００_１）で設定されている無線通信用の第１パラメータ（スクランブリングコード）を取得する第１情報取得部（隣接局情報取得部１０５）と、自局の周辺に設置されている第２周辺基地局（例えば、基地局１００_２）から受信した移動局向けの無線信号に基づいて、前記第２周辺基地局に設定されている無線通信用の第２パラメータ（スクランブリングコード）を取得する第２情報取得部と、有線回線で接続されている第３周辺基地局（例えば、基地局１００_３）に対して、前記第３周辺基地局に設定されている無線通信用の第３パラメータ（スクランブリングコード）の通知を要求する要求情報を送信する有線信号送信部（有線信号通信部１０１）と、前記要求情報を受信した前記第３周辺基地局から、当該第３周辺基地局で設定されている前記第３パラメータを取得する第３情報取得部と、取得された前記第１乃至第３パラメータの少なくとも一つ、又は、複数、又は、全てに基づいて、前記暫定パラメータに替えて自局で用いる無線通信用の恒久パラメータ（恒久スクランブリングコード）を決定するパラメータ決定部（パラメータ決定部１０９）とを具備することを要旨とするものである。
【００１８】
かかる特徴によれば、基地局は、第１情報取得部によって取得された第１パラメータと、第２情報取得部によって取得された第２パラメータと、第３情報取得部によって取得された第３パラメータとに基づいて、自局で用いる無線通信用の恒久パラメータを決定する。
【００１９】
このように、かかる基地局は、従来技術のように、自局と第１周辺基地局との重複する無線範囲内に存在する移動局でからの通知に基づく第１パラメータのみ、又は、第２周辺基地局から受信した無線信号に含まれる第２パラメータのみなど、一のパラメータに基づいて自局に設定する恒久パラメータを決定せず、３つの異なる手段で取得した、第１パラメータと、第２パラメータと、第３パラメータとに基づいて、自局に設定する恒久パラメータを決定するので、無線範囲の重複する周辺基地局で設定されているパラメータと重複することをより低減し、適切な恒久パラメータを決定する。
【００２０】
よって、かかる基地局によれば、自局に設定する、例えば、スクランブリングコード等の無線通信用のパラメータを、周辺基地局で設定されているパラメータと重複することを抑制し、より最適なパラメータ（恒久パラメータ）を決定することができる。
【００２１】
また、本発明の第２の特徴は、第１の特徴に係り、取得された前記第１周辺基地局に設定されている前記第１パラメータと、前記第２周辺基地局に設定されている前記第２パラメータと、前記第３周辺基地局に設定されている前記第３パラメータとに、自局と第１乃至第３周辺基地局との無線範囲の重複度合いに応じて順位を対応付ける順位設定部（順位設定部１０８）を更に具備し、前記パラメータ決定部は、前記順位設定部によって対応付けられた前記順位に基づいて、所定の順位よりも高い前記第１乃至第３パラメータとは異なるパラメータを、前記恒久パラメータとして決定することを要旨とするものである。
【００２２】
かかる特徴によれば、基地局は、第１乃至第３パラメータに無線範囲の重複度合いに応じて順位を対応付けると共に、当該順位に基づいて自局に設定する恒久パラメータを設定するので、無線範囲の重複度合いが高い第１乃至第３周辺基地局で設定されている第１乃至第３パラメータと重複することを低減し、より適切な恒久パラメータを決定することができる。
【００２３】
また、基地局は、所定の順位よりも高い第１乃至第３パラメータとは異なるパラメータを、自局に設定する恒久パラメータとして決定するので、使用できるパラメータ数が限られ、恒久パラメータが取得した第１乃至第３パラメータと重複する必要性が生じる場合であっても、例えば、対応付けられた順位の高い第１乃至第３パラメータ、つまり無線範囲の重複度合いの大きい周辺基地局で設定されている第１乃至第３パラメータとは異なるパラメータを、自局に設定する恒久パラメータとして決定することができる。
【００２４】
また、本発明の第３の特徴は、第２の特徴に係り、前記順位設定部は、前記第１乃至第３パラメータのそれぞれが異なる場合、前記第２パラメータよりも前記第１パラメータの前記順位を高く対応付けると共に、前記第３パラメータよりも前記第２パラメータの前記順位を高く対応付けることを要旨とするものである。
【００２５】
かかる特徴によれば、基地局は、第１乃至第３パラメータのそれぞれに順位を設定する際、移動局で受信された無線信号に基づいて、自局と無線範囲が重複する可能性の高いことが推測される第１周辺基地局で設定されている第１パラメータの順位を最も高く、受信した無線信号に含まれる第２パラメータの順位を次に高く、最後に第３パラメータの順位を対応付ける。
【００２６】
つまり、第１乃至第３パラメータのそれぞれが設定されている第１乃至第３周辺基地局と自局との無線範囲の重複度合いに応じて、順位を対応付けるので、自局に設定するパラメータを、自局との無線範囲の重複度合いが大きい周辺基地局で設定されているパラメータと重複することを抑制することができる。
【００２７】
また、本発明の第４の特徴は、第３の特徴に係り、前記第１情報取得部は、複数の前記第１周辺基地局のそれぞれから、前記第１周辺基地局で設定されている第１パラメータと、前記移動局によって受信された前記第１周辺基地局からの無線信号の受信レベルとを取得し、前記順位設定部は、前記第１情報取得部によって取得された複数の前記第１パラメータのそれぞれに対して、前記移動局によって受信された前記無線信号の受信レベルに応じて前記順位を対応付けることを要旨とするものである。
【００２８】
かかる特徴によれば、基地局は、複数の第１パラメータが取得された場合、それぞれの第１パラメータに対して、それぞれの第１パラメータが設定されている第１周辺基地局から送信された無線信号の移動局における受信レベルに応じて、順位が対応付けられる。よって、基地局は、複数の第１パラメータが取得される場合であっても、受信レベルから推定される自局と第１周辺基地局との無線範囲の重複度合いに応じて、複数の第１パラメータのそれぞれに、より正確な順位を対応付けることができる。
【００２９】
また、本発明の第５の特徴は、第３の特徴に係り、前記第２情報取得部は、複数の前記第２周辺基地局のそれぞれから、前記第２周辺基地局で設定されている第２パラメータと、受信した前記無線信号の受信レベルとを取得し、前記順位設定部は、前記第２情報取得部によって取得された複数の前記第２パラメータのそれぞれに対して、受信した前記無線信号の前記受信レベルに応じて前記順位を対応付けることを要旨とするものである。
【００３０】
かかる特徴によれば、基地局は、複数の第２パラメータが取得された場合、それぞれの第２パラメータに対して、それぞれの第２パラメータが設定されている第２周辺基地局から送信された無線信号の受信レベルに応じて、順位が対応付けられる。よって、基地局は、複数の第２パラメータが取得される場合であっても、受信レベルから推定される自局と第２周辺基地局との無線範囲の重複度合いに応じて、複数の第２パラメータのそれぞれに、より正確な順位を対応付けることができる。
【００３１】
また、本発明の第６の特徴は、第３の特徴に係り、有線信号送信部は、有線回線に接続されている一つ又は複数の中継器を介して、複数の第３周辺基地局に対して前記要求情報を含む有線信号を送信し、前記第３情報取得部は、複数の前記第３周辺基地局のそれぞれから、前記第３周辺基地局で設定されている第３パラメータと、自局から前記第３周辺基地局までの前記中継器の中継回数とを取得し、前記順位設定部は、前記第３情報取得部によって取得された複数の前記第３パラメータのそれぞれに対して、前記中継器の中継回数に応じて前記順位を対応付けることを要旨とするものである。
【００３２】
かかる特徴によれば、基地局は、複数の第３パラメータが取得された場合、それぞれの第３パラメータに対して、自局からそれぞれの第３パラメータが設定されている第３周辺基地局までの中継回数に応じて、順位が対応付けられる。よって、基地局は、複数の第３パラメータが取得される場合であっても、自局と第３周辺基地局との有線回線の経路上における中継器の中継回数に基づいて、自局と第３周辺基地局との無線範囲の重複度合いを推定し、複数の第３パラメータのそれぞれに、より正確な順位を対応付けることができる。
【００３３】
また、本発明の第７の特徴は、第４の特徴に係り、前記第２情報取得部は、複数の前記第２周辺基地局のそれぞれから、前記第２周辺基地局で設定されている第２パラメータと、受信した前記無線信号の受信レベルとを取得し、前記順位設定部は、前記第１情報取得部によって取得された複数の第１パラメータのそれぞれに順位を設定する際、前記移動局によって受信された受信レベルが所定の受信レベル差以内の複数の第１パラメータの順位を、前記第１パラメータと同一の第２パラメータを含む前記無線信号の受信レベルに基づいて対応付けることを要旨とするものである。
【００３４】
かかる特徴によれば、基地局は、複数の第１パラメータのそれぞれに順位を設定する際、移動局によって受信された受信レベルが所定の受信レベル差以内の複数の第１パラメータの順位を、第１パラメータが設定されている第１周辺基地局の無線信号の移動局での受信レベルだけで無く、第１パラメータと同一の第２パラメータを含む無線信号の受信レベルに基づいて対応付けるので、複数の第１パラメータの順位をより高精度に対応付けることができる。
【００３５】
た、本発明の第７の特徴は、移動局との間で無線通信を実行すると共に、自局の周辺に設置されている一つ又は複数の周辺基地局との間で有線通信又は無線通信を実行する基地局における通信方法であって、
予め暫定的に設定されている無線通信用の暫定パラメータを用いて生成した所定の無線信号を移動局向けに送信する無線信号送信ステップと、前記所定の無線信号を受信した移動局と無線通信を実行している第１周辺基地局から、前記第１周辺基地局で設定されている無線通信用の第１パラメータを取得する第１情報取得ステップと、自局の周辺に設置されている第２周辺基地局から受信した移動局向けの無線信号に基づいて、前記第２周辺基地局に設定されている無線通信用の第２パラメータを取得する第２情報取得ステップと、有線回線で接続されている第３周辺基地局に対して、前記第３周辺基地局に設定されている無線通信用の第３パラメータの通知を要求する要求情報を送信する有線信号送信ステップと、前記要求情報を受信した前記第３周辺基地局から、当該第３周辺基地局で設定されている前記第３パラメータを取得する第３情報取得ステップと、取得された前記第１乃至第３パラメータの複数に基づいて、前記暫定パラメータに替えて自局で用いる無線通信用の恒久パラメータを決定するパラメータ決定ステップとを具備することを要旨とするものである。
【発明の効果】
【００３６】
本発明によれば、自局に設定するスクランブリングコード等の無線通信用のパラメータを、周辺基地局で設定されているパラメータと重複することを抑制し、より最適なパラメータを決定することができる基地局及び通信方法を提供することができる。
【発明を実施するための最良の形態】
【００３７】
図を参照して、本発明の実施形態を説明する。なお、以下の説明において参照する各図では、同一の機能を有する部分には同一符号を付す。
【００３８】
[第１実施形態]
（移動通信システムの概略構成）
まず、本発明の第１実施形態に係る移動通信システム１の概略構成について説明する。移動通信システム１は、図１に示すように、サーバ３００_１と、ルータ２００_１乃至２００_２と、基地局１００_１乃至１００_４とを具備し、移動局６００_１乃至６００_３との間で、音声データ等のデータ通信を行う。
【００３９】
なお、本実施形態において、サーバ３００_１と、ルータ２００_１乃至２００_２と、基地局１００_１乃至１００_４と、移動局６００_１乃至６００_３との数は、一例であり、かかる数に限定されるものではない。また、接続関係も、図１に示す接続関係に限定されず、例えば、サーバ３００_１が、基地局１００_１乃至１００_４と直接接続するように構成されていても良い。
【００４０】
また、本実施形態に係る移動通信システム１では、移動局６００_１乃至６００_３との間で行われている通信方式として、ＣＤＭＡ（Ｃｏｄｅ Ｄｉｖｉｓｉｏｎ Ｍｕｌｔｉｐｌｅ Ａｃｃｅｓｓ）方式が用いられている。また、本実施形態に係る移動通信システム１では、ＣＤＭＡ方式において、ＦＤＤ（Ｆｒｅｑｕｅｎｃｙ Ｄｉｖｉｓｉｏｎ Ｄｕｐｌｅｘ）方式、又はＴＤＤ（Ｔｉｍｅ Ｄｉｖｉｓｉｏｎ Ｄｕｐｌｅｘ）方式を想定している。なお、かかる移動通信システム１は、上述したＣＤＭＡ方式以外に、ＴＤＭＡ（Ｔｉｍｅ Ｄｉｖｉｓｉｏｎ Ｍｕｌｔｉｐｌｅ Ａｃｃｅｓｓ）方式、ＦＤＭＡ（Ｆｒｅｑｕｅｎｃｙ Ｄｉｖｉｓｉｏｎ Ｍｕｌｔｉｐｌｅ Ａｃｃｅｓｓ）方式等を用いてもよい。
【００４１】
サーバ３００_１は、ルータ２００_１乃至２００_２と接続する。また、サーバ３００_１は、ルータ２００_１乃至２００_２と基地局１００_１乃至１００_４との間における有線通信と、基地局１００_１乃至１００_４と移動局６００_１乃至６００_３との間における無線通信とを制御する。
【００４２】
ルータ２００_１乃至２００_２は、サーバ３００_１及び基地局１００_１乃至１００_４と接続する。また、ルータ２００_１は、基地局１００_１乃至１０２と基地局１００_４とを収容し、ルータ２００_２は、基地局１００_３を収容する。また、ルータ２００_１乃至２００_２は、相互に通信する。
【００４３】
基地局１００_１乃至１００_４は、移動局６００_１乃至６００_３との間で無線通信を実行すると共に、自局の周辺に設置されている一つ又は複数の周辺基地局との間で、有線通信又は無線通信を実行する。
【００４４】
また、基地局１００_１乃至１００_４は、無線通信用のパラメータとして、基地局毎に異なる下り方向のスクランブリングコード、即ち、下り回線において使用する拡散コードを用いて、移動局６００_１乃至６００_３へ無線信号を送信する。なお、本実施形態では、かかる無線通信用のパラメータが、スクランブリングコードである場合を例に説明するが、かかる無線通信用のパラメータは、ＴＤＭＡ方式の移動通信システムにおける下りタイムスロットであってもよいし、ＦＤＭＡ方式の移動通信システムにおける下り周波数帯域であってもよい。
【００４５】
また、基地局１００_１乃至１００_３には、各基地局を識別するための識別情報として、基地局ＩＤが設定されている。また、本実施形態では、基地局１００_１は、移動局６００_１と無線通信を実行する。また、基地局１００_２は、移動局６００_２と接続する。また、基地局１００_３は、移動局６００_３と無線通信を実行する。
【００４６】
移動局６００_１乃至６００_３は、基地局１００_１乃至１００_４との間で、無線通信を実行できる。また、本実施形態において、移動局６００_１乃至６００_３は、それぞれ同様に構成されている。なお、本実施形態では、上述した移動局６００_１乃至６００_３は、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００４７】
また、移動局６００_１乃至６００_３は、例えば、一の基地局１００_１との間で無線通信を実行中（接続中）に、他の基地局１００_４からのパイロット信号を受信した場合、無線通信を実行している基地局１００_１に対して、受信情報を含む無線信号を送信する。
【００４８】
ここで、受信情報とは、移動局６００_１が、無線通信を実行している基地局１００_１に、他の基地局１００_４からのパイロット信号を受信したことを通知するための情報であり、当該受信情報には、他の基地局１００_４から送信されたパイロット信号に含まれる基地局１００_４の基地局ＩＤと、基地局１００_４で設定されているスクランブリングコードと、無線通信を実行している基地局１００_１から送信されている無線信号の受信レベルとが含まれている。
【００４９】
（基地局の構成）
次に、図２を参照し、本実施形態にかかる基地局１００_１乃至１００_４の構成を詳細に説明する。ここで、本実施形態では、一の基地局（例えば、基地局１００_４）を、単に自局とし、自局の周辺に設置されている他の基地局（例えば、基地局１００_１乃至３）を、単に周辺基地局として適宜説明する。また、基地局１００_１乃至１００_４の構成は同様であるため、以下、基地局１００_１乃至１００_４を単に基地局１００_ｉ（ｉは自然数）として、その構成について説明する。
【００５０】
基地局１００_ｉは、図２に示すように、有線信号通信部１０１と、無線信号通信部１０２と、周辺局情報取得部１０３と、近隣局情報取得部１０４と、隣接局情報取得部１０５と、パイロット信号生成部１０６と、記憶部１０７と、順位設定部１０８と、パラメータ決定部１０９と、パラメータ通知部１１０と、通信制御部１１１とを具備する。
【００５１】
有線信号通信部１０１は、有線回線を使用して、ルータ２００_１乃至２００_２を介して、周辺基地局及びサーバ３００_１との間で、有線信号を送受信する。
【００５２】
また、有線信号通信部１０１は、後述する隣接局情報取得部１０５の指示に従って、ルータ２００_１乃至２００_２を介して、サーバ３００_１に周辺基地局で使用されていない基地局ＩＤ及び暫定スクランブリングコードを要求するための有線信号を送信する。ここで、暫定スクランブリングコードとは、予めサーバ３００_１において確保され、新設の基地局１００_ｉで暫定的に用いるように設定されているスクランブリングコードである。
【００５３】
また、有線信号通信部１０１は、サーバ３００_１から、使用されていない基地局ＩＤ及び暫定スクランブリングコードを含む有線信号を受信すると、有線信号に含まれている基地局ＩＤ及び暫定スクランブリングコードを隣接局情報取得部１０５に通知すると共に、基地局ＩＤを通信制御部１１１に通知する。
【００５４】
また、有線信号通信部１０１は、後述する近隣局情報取得部１０４の指示に従って、有線回線で接続されている周辺基地局（第３周辺基地局）に対して、当該周辺基地局に設定されている無線通信用のスクランブリングコード（第３パラメータ）の通知を要求する要求情報を含む有線信号を送信する。
【００５５】
また、この時、有線信号通信部１０１は、有線回線に接続されている一つ又は複数のルータ（中継器）を介して、複数の周辺基地局に対して要求情報を含む有線信号を送信する。
【００５６】
図３（ａ）には、要求情報を含む有線信号のフォーマットの一例が示されている。同図に示すように、要求情報を含む有線信号には、かかる要求情報以外に、送信元である自局のアドレスと、中継可能なルータの中継回数を示すＴＴＬ（Ｔｉｍｅ Ｔｏ Ｌｉｖｅ）とが含まれている。かかるＴＴＬ（例えば、整数Ａ）は、一のルータを中継する度に、ルータによって１ずつ減算（例えば、“Ａ−１”にデクリメント）される値であり、所定の中継回数（Ａ）に相当するルータでは、ＴＴＬが“０（Ａ−Ａ）”となることで、有線信号の転送が停止される。
【００５７】
また、有線信号通信部１０１は、上述した要求情報を含む有線信号を受信した周辺基地局から、応答情報を含む有線信号を受信する。図３（ｂ）には、応答情報を含む有線信号のフォーマットの一例が示されている。また、応答情報を含む有線信号には、送信元の周辺基地局のアドレス及び送信先の自局のアドレスと、応答情報として、周辺基地局で設定されているスクランブリングコードと、周辺基地局を識別する基地局ＩＤと、ＴＴＬの残値とが含まれている。ここで、ＴＴＬの残値とは、周辺基地局が、要求情報を含む有線信号を受信した際の当該有線信号に含まれるＴＴＬの値を示す。また、本実施形態において、有線信号通信部１０１は、有線信号送信部を構成する。
【００５８】
無線信号通信部１０２は、移動局６００_１乃至６００_３との間で、無線信号を送受信する。また、無線信号通信部１０２は、周辺基地局から送信された無線信号を受信すると、周辺局情報取得部１０３へ送信する。
【００５９】
また、無線信号通信部１０２は、後述するパイロット信号生成部１０６によって、予め暫定的に設定されている無線通信用の暫定スクランブリングコード（暫定パラメータ）を用いて生成されたパイロット信号（所定の無線信号）を、移動局６００_１乃至６００_３向けに送信する。また、本実施形態において無線信号通信部１０２は、無線信号送信部を構成する。
【００６０】
周辺局情報取得部１０３は、自局の周辺に設置され、無線信号を受信可能な周辺基地局（第２周辺基地局）から受信した移動局６００_１乃至６００_３向けの無線信号に基づいて、当該周辺基地局に設定されている無線通信用のスクランブリングコード（第２パラメータ）を取得する。この時、周辺局情報取得部１０３は、複数の周辺基地局のそれぞれから、周辺基地局で設定されているスクランブリングコード（第２パラメータ）と、自局で受信した無線信号の受信レベルとを取得する。
【００６１】
具体的に、周辺局情報取得部１０３は、自局に電源が投入されて起動を開始した際、周辺基地局から送信された無線信号を受信すると共に、当該無線信号の受信レベルを測定する。また、周辺局情報取得部１０３は、当該周辺基地局から送信された無線信号を復調して、無線信号に含まれている基地局ＩＤとスクランブリングコードとを抽出する。このようにして、周辺局情報取得部１０３は、基地局ＩＤと、抽出したスクランブリングコードと、測定した受信レベルとを取得し、これらを対応付けて後述する記憶部１０７の周辺局情報テーブルＴ１２（図４（ｂ）参照）へ記憶する。
【００６２】
なお、本実施形態では、周辺局情報取得部１０３で取得される基地局ＩＤと、スクランブリングコードと、受信した受信レベルとを、周辺局情報として説明する。また、本実施形態において、周辺局情報取得部１０３は、第２情報取得部を構成する。
【００６３】
近隣局情報取得部１０４は、要求情報を含む有線信号を受信した周辺基地局（第３周辺基地局）から、当該周辺基地局で設定されているスクランブリングコード（第３パラメータ）を取得する。この時、近隣局情報取得部１０４は、一つ又は複数の周辺基地局（第３周辺基地局）のそれぞれから、当該周辺基地局で設定されているスクランブリングコード（第３パラメータ）と、自局から当該周辺基地局までのルータの中継回数とを取得する。
【００６４】
具体的に、近隣局情報取得部１０４は、自局に電源が投入されて起動を開始した際、有線信号通信部１０１を介して、自局と接続しているルータ２００_１乃至２００_２に、要求情報を含む有線信号を送信する。また、近隣局情報取得部１０４は、有線信号通信部１０１によって、周辺基地局から送信された応答情報を含む有線信号が受信されると、当該応答情報に含まれるＴＴＬの残値から中継回数（ホップ数）を算出する。また、近隣局情報取得部１０４は、当該応答情報に含まれる基地局ＩＤと、スクランブリングコードとを抽出する。
【００６５】
このようにして、近隣局情報取得部１０４は、中継回数と、基地局ＩＤと、スクランブリングコードとを取得し、これらを対応付けて、後述する記憶部１０７の近隣局情報テーブルＴ１３（図４（ｃ）参照）へ記憶する。なお、本実施形態では、近隣局情報取得部１０４で取得される基地局ＩＤと、スクランブリングコードと、中継回数とを、近隣局情報として説明する。また、本実施形態において、近隣局情報取得部１０４は、第３情報取得部を構成する。
【００６６】
隣接局情報取得部１０５は、無線信号通信部１０２によって送信されたパイロット信号を受信した移動局６００_１乃至６００_３と無線通信を実行している周辺基地局（第１周辺基地局）から、当該周辺基地局で設定されている無線通信用のスクランブリングコード（第１パラメータ）を取得する。
【００６７】
隣接局情報取得部１０５は、複数の周辺基地局（第１周辺基地局）のそれぞれから、当該周辺基地局で設定されているスクランブリングコード（第１パラメータ）と、当該スクランブリングコードと共に、移動局６００_１乃至６００_３によって受信された通信先の周辺基地局から送信された無線信号の受信レベルとを取得する。
【００６８】
具体的に、隣接局情報取得部１０５は、自局に電源が投入されて起動を開始した際、有線信号通信部１０１とルータ２００_１乃至２００_２とを介して、サーバ３００_１に基地局ＩＤ及び暫定スクランブリングコードを要求する。そして、隣接局情報取得部１０５は、有線信号通信部１０１を介して、サーバ３００_１から、他の周辺基地局で使用されていない基地局ＩＤ及び暫定スクランブリングコードを受信する。
【００６９】
また、隣接局情報取得部１０５は、受信した基地局ＩＤ及び暫定スクランブリングコードを後述するパイロット信号生成部１０６に通知して、パイロット信号生成部１０６に暫定スクランブリングコードを用いて基地局ＩＤを含むパイロット信号を生成させると共に、無線信号通信部１０２を介して、当該パイロット信号を移動局向けに送信させる。
【００７０】
また、当該パイロット信号を受信した移動局６００_１乃至６００_３は、無線通信を実行（接続）している周辺基地局に対して、受信情報を含む無線信号を送信する。また、当該移動局６００_１乃至６００_３と無線通信を実行している周辺基地局は、当該周辺基地局で設定されているスクランブリングコードと、周辺基地局の基地局ＩＤと、受信情報に含まれる受信レベルとを、隣接局情報取得部１０５に対して通知する。なお、周辺基地局が、隣接局情報取得部１０５に対して通知する機能については、詳細を後述する（図１０参照）。
【００７１】
このようにして、隣接局情報取得部１０５は、周辺基地局からの通知に基づいて、当該周辺基地局で設定されている基地局ＩＤと、スクランブリングコードと、移動局６００_１乃至６００_３によって受信された周辺基地局からの無線信号の受信レベルとを取得する。
【００７２】
また、隣接局情報取得部１０５は、タイマ機能を備えており、パイロット信号生成部１０６がパイロット信号の送信を開始すると、タイマを起動し、予め設定されている所定の期間が経過するまで、周辺基地局からの通知に基づき、基地局ＩＤと、スクランブリングコードと、受信レベルとを取得する。また、隣接局情報取得部１０５は、取得した基地局ＩＤと、スクランブリングコードと、受信レベルとを後述する記憶部１０７の隣接局情報テーブルＴ１１（図４（ａ）参照）に対応付けて記憶する。
【００７３】
なお、本実施形態では、隣接局情報取得部１０５で取得される基地局ＩＤと、スクランブリングコードと、移動局によって受信される受信レベルとを、隣接局情報として説明する。また、本実施形態において、隣接局情報取得部１０５は、第１情報取得部を構成する。
【００７４】
パイロット信号生成部１０６は、隣接局情報取得部１０５から基地局ＩＤ及び暫定スクランブリングコードを通知されると、当該暫定スクランブリングコードを用いて当該基地局ＩＤを含むパイロット信号を生成する。また、パイロット信号生成部１０６は、無線信号通信部１０２を介して、生成したパイロット信号を移動局向けに送信する。
【００７５】
記憶部１０７は、隣接局情報テーブルＴ１１と、周辺局情報テーブルＴ１２と、近隣局情報テーブルＴ１３と、周辺セル情報テーブルＴ２１とを具備する。
【００７６】
隣接局情報テーブルＴ１１は、図４（ａ）に示すように、「順位」と、「基地局ＩＤ」と、「スクランブリングコード」と、「受信レベル」とを対応付けて記憶する。ここで、本実施形態において、隣接局情報テーブルＴ１１に記憶される「順位」は、自局と周辺基地局との無線範囲の重複度合いに応じた順番を示すものであり、「順位」“１”の値がもっとも高く（上位である）、かかる値が大きいほど「順位」は低いことを示す。なお、隣接局情報テーブルＴ１１において、当該「順位」は、後述する順位設定部１０８によって記憶される。また、「基地局ＩＤ」と、「スクランブリングコード」と、「受信レベル」とは、隣接局情報取得部１０５によって記憶される。
【００７７】
周辺局情報テーブルＴ１２は、図４（ｂ）に示すように、「順位」と、「基地局ＩＤ」と、「スクランブリングコード」と、「受信レベル」とを対応付けて記憶する。なお、周辺局情報テーブルＴ１２において、「順位」は、後述する順位設定部１０８によって記憶される。また、「基地局ＩＤ」と、「スクランブリングコード」と、「受信レベル」とは、周辺局情報取得部１０３によって記憶される。
【００７８】
近隣局情報テーブルＴ１３は、図４（ｃ）に示すように、「順位」と、「基地局ＩＤ」と、「スクランブリングコード」と、「中継回数」とを対応付けて記憶する。なお、近隣局情報テーブルＴ１３において、「順位」は、後述する順位設定部１０８によって記憶される。また、「基地局ＩＤ」と、「スクランブリングコード」と、「中継回数」とは、近隣局情報取得部１０４によって記憶される。
【００７９】
周辺セル情報テーブルＴ２１は、図５に示すように、周辺基地局の「スクランブリングコード」と、「暫定スクランブリングコード」とを記憶する。周辺セル情報テーブルＴ２１において、「暫定スクランブリングコード」は、予め記憶されている。また、「スクランブリングコード」は、後述する通信制御部１１１によって記憶される。
【００８０】
順位設定部１０８は、取得された隣接局情報と、周辺局情報と、近隣局情報とに「順位」を対応付ける。順位設定部１０８は、記憶部１０７に記憶されている隣接局情報テーブルＴ１１と、周辺局情報テーブルＴ１２と、近隣局情報テーブルＴ１３とを参照し、隣接局情報取得部１０５によって取得されたスクランブリングコードと、周辺局情報取得部１０３によって取得されたスクランブリングコードと、近隣局情報取得部１０４によって取得されたスクランブリングコードとに、それぞれのスクランブリングコードが設定されている周辺基地局と自局との無線範囲の重複度合いに応じて、「順位」を対応付ける。
【００８１】
ここで、上述した周辺基地局との無線範囲の重複度合いは、自局から送信される無線信号の無線範囲と、周辺基地局から送信される無線信号の無線信号の重複する範囲の度合い（大きさ）を示すものである。
【００８２】
具体的に、順位設定部１０８は、隣接局情報取得部１０５によって取得されたスクランブリングコードと、周辺局情報取得部１０３によって取得されたスクランブリングコードと、近隣局情報取得部１０４によって取得されたスクランブリングコードとのそれぞれが異なる場合、周辺局情報取得部１０３によって取得されたスクランブリングコードよりも、隣接局情報取得部１０５によって取得されたスクランブリングコードの順位を高く対応付ける。また、順位設定部１０８は、近隣局情報取得部１０４によって取得されたスクランブリングコードよりも周辺局情報取得部１０３によって取得されたスクランブリングコードの順位を高く対応付ける。
【００８３】
つまり、順位設定部１０８は、隣接局情報取得部１０５と周辺局情報取得部１０３と近隣局情報取得部１０４とによって、それぞれ異なるスクランブリングコードが取得された場合、隣接局情報取得部１０５によって取得されたスクランブリングコードの「順位」を最も優先して高く（例えば“１”として）対応付けし、周辺局情報取得部１０３によって取得されたスクランブリングコードの「順位」を次に優先して高く（例えば“２”として）対応付けし、近隣局情報取得部１０４によって取得されたスクランブリングコードの「順位」を最も低く（例えば“３”として）対応付ける。
【００８４】
また、順位設定部１０８は、隣接局情報取得部１０５と、周辺局情報取得部１０３又は近隣局情報取得部１０４とによって、それぞれ同一のスクランブリングコードが取得された場合、隣接局情報取得部１０５で取得されたスクランブリングコードに「順位」を対応付けて、周辺局情報取得部１０３又は近隣局情報取得部１０４で取得されたスクランブリングコードには「順位」を対応付けしない。また、順位設定部１０８は、周辺局情報取得部１０３と、近隣局情報取得部１０４とによって、それぞれ同一のスクランブリングコードが取得された場合、周辺局情報取得部１０３で取得されたスクランブリングコードに「順位」を対応付けて、近隣局情報取得部１０４で取得されたスクランブリングコードには「順位」を対応付けしない。つまり、順位設定部１０８は、一のスクランブリングコードには、一の「順位」のみを対応付ける。
【００８５】
また、順位設定部１０８は、隣接局情報取得部１０５によって複数の基地局ＩＤ及びスクランブリングコードが取得された場合、共に取得された受信レベルを、上述した自局と周辺基地局との無線範囲の重複度合いとして、それぞれに「順位」を対応付ける。具体的に、順位設定部１０８は、隣接局情報取得部１０５によって複数の基地局ＩＤ及びスクランブリングコードが取得された場合、隣接局情報テーブルＴ１１を参照し、隣接局情報取得部１０５によって取得された複数のスクランブリングコードのそれぞれに対して、移動局６００_１乃至６００_３によって受信された受信レベルに応じて、順位を対応付ける。また、この時、順位設定部１０８は、移動局６００_１乃至６００_３によって受信された受信レベルが大きい周辺基地局に設定されているスクランブリングコードほど「順位」を高く対応付ける。
【００８６】
また、順位設定部１０８は、周辺局情報取得部１０３によって複数の基地局ＩＤ及びスクランブリングコードが取得された場合、周辺局情報テーブルＴ１２を参照し、周辺局情報取得部１０３によって取得された複数のスクランブリングコードのそれぞれに対して、受信した無線信号の受信レベルに応じて「順位」を対応付ける。また、この時、順位設定部１０８は、周辺局情報取得部１０３で測定された受信レベルが大きい無線信号に含まれるスクランブリングコードほど「順位」を高く対応付ける。
【００８７】
また、順位設定部１０８は、近隣局情報取得部１０４によって複数の基地局ＩＤ及びスクランブリングコードが取得された場合、共に取得された中継回数を、上述した自局と周辺基地局との無線範囲の重複度合いとして、それぞれに「順位」を対応付ける。具体的に、順位設定部１０８は、近隣局情報取得部１０４によって複数のスクランブリングコードが取得された場合、近隣局情報テーブルＴ１３を参照し、近隣局情報取得部１０４によって取得された複数のスクランブリングコードのそれぞれに対して、ルータの中継回数に応じて「順位」を対応付ける。また、この時、順位設定部１０８は、ルータの中継回数の少ない周辺基地局に設定されているスクランブリングコードほど「順位」を高く対応付ける。
【００８８】
また、順位設定部１０８は、それぞれのスクランブリングコードとに対応付けした「順位」を、隣接局情報テーブルＴ１１と、周辺局情報テーブルＴ１２と、近隣局情報テーブルＴ１３とに記憶すると共に、記憶が完了したことをパラメータ決定部１０９に通知する。
【００８９】
パラメータ決定部１０９は、隣接局情報取得部１０５によって取得されたスクランブリングコードと、周辺局情報取得部１０３によって取得されたスクランブリングコードと、近隣局情報取得部１０４によって取得されたスクランブリングコードとの複数に基づいて、暫定スクランブリングコードに替えて自局で用いる無線通信用の恒久パラメータを決定する。また、パラメータ決定部１０９は、取得されたスクランブリングコードと、順位設定部１０８によって対応付けられた「順位」とに基づいて、恒久パラメータを決定する。
【００９０】
具体的に、パラメータ決定部１０９は、隣接局情報テーブルＴ１１と、周辺局情報テーブルＴ１２と、近隣局情報テーブルＴ１３とを参照し、順位設定部１０８によって対応付けられた「順位」に基づいて、所定の順位よりも高いスクランブリングコードとは異なるスクランブリングコードを、恒久スクランブリングコードとして決定する。
【００９１】
ここで、所定の順位は、自局との無線範囲の重複度合いが大きく、自局の無線信号と混信を生じることが推測される一つ又は複数の周辺基地局において設定されているスクランブリングコードの順位であり、パラメータ決定部１０９において予め記憶されている。
【００９２】
また、パラメータ決定部１０９は、順位設定部１０８によって対応付けられた最も低い「順位」が所定の順位より小さい場合、所定の順位とは無関係に、隣接局情報テーブルＴ１１と、周辺局情報テーブルＴ１２と、近隣局情報テーブルＴ１３とに記憶されているスクランブリングコードとは異なるスクランブリングコードを、恒久スクランブリングコードとして決定する。
【００９３】
また、パラメータ決定部１０９は、決定した恒久スクランブリングコードを通信制御部１１１に通知する。また、パラメータ決定部１０９は、決定した恒久スクランブリングコードと、所定の順位よりも高い「順位」に対応付けされている基地局ＩＤとを、パラメータ通知部１１０に通知する。
【００９４】
パラメータ通知部１１０は、パラメータ決定部１０９から恒久スクランブリングコードと基地局ＩＤとを通知されると、通知された基地局ＩＤに対応する周辺基地局に恒久スクランブリングコードを通知する。
【００９５】
通信制御部１１１は、基地局１００_ｉに備えられる各種通信機能を制御する。また、通信制御部１１１は、有線信号通信部１０１を介して、サーバ３００_１から周辺基地局で使用されていない基地局ＩＤを通知されると、当該基地局ＩＤを自局の基地局ＩＤとして設定する。また、通信制御部１１１は、パラメータ決定部１０９から、恒久スクランブリングコードを通知されると、当該恒久スクランブリングコードを自局の無線通信で恒久的に使用するスクランブリングコードとして設定する。
【００９６】
また、通信制御部１１１は、有線信号通信部１０１において、要求情報を含む有線信号が受信されると、自局に設定されているスクランブリングコードと、自局の基地局ＩＤと、有線信号に含まれるＴＴＬの残値とを含む応答情報を生成すると共に、有線信号通信部１０１を介して、受信した有線信号の送信元の周辺基地局へ、応答情報を含む有線信号を送信する。
【００９７】
また、通信制御部１１１は、無線信号通信部１０２において、移動局６００_１乃至６００_３から送信された受信情報を含む無線信号が受信されると、周辺セル情報テーブルＴ２１を参照し、当該受信情報に含まれるスクランブリングコードが、周辺セル情報テーブルＴ２１に記憶されているスクランブリングコードであるか否かを判定する。
【００９８】
そして、通信制御部１１１は、受信情報に含まれるスクランブリングコードが、周辺セル情報テーブルＴ２１に記憶されているスクランブリングコードであると判定した場合、自局に設定されている基地局ＩＤ及びスクランブリングコードと、当該受信情報に含まれる移動局６００_１乃至６００_３で受信された無線信号の受信レベルとを、当該受信情報に含まれる基地局ＩＤに対応する周辺基地局へ送信する。
【００９９】
（ルータの構成）
次に、図６を参照し、本実施形態にかかるルータ２００_１乃至２００_２の構成を詳細に説明する。なお、ルータ２００_１乃至２００_２の構成は、同様であるため、ルータ２００_１乃至２００を単にルータ２００_ｎ（ｎは自然数）として、その構成について説明する。
【０１００】
ルータ２００_ｎ（中継器）は、図６に示すように、通信部２０１と、通信制御部２０２とを具備する。通信部２０１は、基地局１００_１乃至１００_４と、サーバ３００_１と、他のルータと接続し、基地局１００_１乃至１００_４や、サーバ３００_１から送信される有線信号を中継する。通信制御部２０２は、ルータ２００_ｎに備えられている各種通信機能を制御する。また、通信制御部２０２は、通信部２０１で受信された有線信号にＴＴＬが含まれている場合、その値を“１”だけ減算して所望の送信先に転送する。また、通信制御部２０２は、有線信号に含まれているＴＴＬが“１”であり、減算した結果“０”となる場合、当該有線信号の転送を行わない。
【０１０１】
（サーバの構成）
次に、図７を参照し、本実施形態にかかるサーバ３００_１の構成を詳細に説明する。サーバ３００_１は、図７に示すように、通信部３０１と、記憶部３０２と、通信制御部３０３とを具備える。
【０１０２】
通信部３０１は、ルータ２００_ｎと接続し、有線信号を送受信すると共に、ルータ２００_ｎを介して、基地局１００_１乃至１００_４との間で有線信号を送受信する。
【０１０３】
記憶部３０２は、基地局ＩＤテーブルＴ３１を備える。基地局ＩＤテーブルＴ３１は、図８に示すように、使用可能な基地局ＩＤと、各基地局ＩＤが配下の基地局１００_ｉ（例えば、基地局１００_１乃至１００_４）で使用されているか否かを示す使用／未使用とを対応付けて記憶する。
【０１０４】
通信制御部３０３は、サーバ３００_１に備えられている各種通信機能を制御すると共に、配下のルータ２００_ｎ及び基地局１００_ｉにおける通信を制御する。また、通信制御部３０３には、暫定スクランブリングコードが予め記憶されており、通信部３０１において、基地局１００_ｉから暫定スクランブリングコード及び基地局ＩＤの要求を含む有線信号を受信した場合、基地局ＩＤテーブルＴ３１を参照し、使用されていない基地局ＩＤを特定すると共に、特定した基地局ＩＤと、暫定スクランブリングコードと含む有線信号を、要求元の基地局１００_ｉへ送信する。
【０１０５】
（第１実施形態に係る基地局の動作）
次に、図９を参照し、本実施形態に係る基地局１００_ｉの動作について説明する。また、一例として、一の基地局１００_４の動作について説明する。ここで、本実施形態では、基地局１００_４は、新たに運用を開始する新設基地局１００_４とし、基地局１００_１乃至１０３は、新設基地局１００_４の周辺に設置されている既設の周辺基地局１００_１乃至１０３として説明する。また、本実施形態において、新設の基地局１００_４では、基地局ＩＤとスクランブリングコードとが設定されておらず、本発明の機能により、新たに設定される場合を例に挙げて説明する。
【０１０６】
また、本実施形態では、基地局１００_１に設定されている基地局ＩＤを“Ｂ１００１”とし、基地局１００_２に設定されている基地局ＩＤを“Ｂ１００２”とし、基地局１００_３に設定されている基地局ＩＤを“Ｂ１００３”として説明する。また、本実施形態に係る移動通信システム１では、基地局１００_１に設定されているスクランブリングコードを、“４００１”とし、基地局１００_２に設定されているスクランブリングコードを、“４００２”とし、基地局１００_３に設定されているスクランブリングコードを、“４００３”として説明する。また、サーバ３００_１の通信制御部３０３と、基地局１００_１乃至１０４の周辺セル情報テーブルＴ２１に記憶されている暫定スクランブリングコードを、“４９９９”として説明する。
【０１０７】
ステップＳ１０２において、新設基地局１００_４では、電源が投入される。
【０１０８】
ステップＳ１１２において、新設基地局１００_４では、自局に電源が投入されて起動を開始した際、無線信号通信部１０２が、周辺基地局（例えば、基地局１００_２乃至１００_３）から移動局（例えば、移動局６００_２乃至６００_３）向けに送信される無線信号を受信する。
【０１０９】
ステップＳ１１４において、新設基地局１００_４では、周辺局情報取得部１０３が、基地局ＩＤと、抽出したスクランブリングコードと、測定した受信レベルとを取得し、周辺基地局１００_２乃至１００_３ごとに、基地局ＩＤと、スクランブリングコードと、受信レベルとを対応付けて、周辺局情報テーブルＴ１２へ記憶する。
【０１１０】
ステップＳ１２２において、新設基地局１００_４では、自局に電源が投入されて起動を開始した際、隣接局情報取得部１０５が、有線信号通信部１０１及びルータ２００_１を介して、サーバ３００_１に周辺基地局（基地局１００_１乃至１００_３）で使用されていない基地局ＩＤ及び暫定スクランブリングコードを要求する。
【０１１１】
ステップＳ１２４において、隣接局情報取得部１０５は、有線信号通信部１０１及びルータ２００_１を介して、サーバ３００_１から使用されていない基地局ＩＤ及び当該暫定スクランブリングコードを受信する。
【０１１２】
ステップＳ１２６において、隣接局情報取得部１０５は、受信した基地局ＩＤ及び当該暫定スクランブリングコードとをパイロット信号生成部１０６に通知する。また、パイロット信号生成部１０６は、通知された基地局ＩＤ及び暫定スクランブリングコードを用いて基地局ＩＤを含むパイロット信号を生成する。また、パイロット信号生成部１０６は、無線信号通信部１０２を介して、生成したパイロット信号を自局の無線範囲内に存在する移動局（例えば、移動局６００_１）に送信する。
【０１１３】
ステップＳ１２８において、隣接局情報取得部１０５は、パイロット信号生成部１０６からパイロット信号の送信が開始されると、タイマの起動を開始する。
【０１１４】
ステップＳ１３０において、隣接局情報取得部１０５は、パイロット信号生成部１０６によって生成されたパイロット信号を受信した移動局（例えば、移動局６００_１）の通信先の周辺基地局（例えば、基地局１００_１）からの通知に基づいて、隣接局情報を取得する。具体的に、隣接局情報取得部１０５は、周辺基地局１００_１で設定されている基地局ＩＤ“Ｂ１００１”及びスクランブリングコード“４００１”と、移動局６００_１の通信先の周辺基地局１００_１からの無線信号の受信レベル（例えば、−８０ｄｂｍ）とを取得し、それぞれを対応付けて隣接局情報テーブルＴ１１に記憶する。
【０１１５】
ここで、図１０には、ステップＳ１２６乃至Ｓ１３０において、新設基地局１００_４が、隣接局情報を取得する際のイメージが示されている。なお、本実施形態では、図１０に示すように、基地局１００_１乃至１００_４は、それぞれセルＣ１００_１乃至Ｃ１００_４を形成する場合を例に挙げて説明する。また、同図において、移動局６００_１は、基地局１００_１と無線通信を実行している。図１０に示すように、新設基地局１００_４では、暫定スクランブリングコード“４９９９”を用いて、基地局ＩＤ“Ｂ１００４”を含むパイロット信号を移動局６００_１に送信する。
【０１１６】
移動局６００_１は、基地局１００_４から送信されるパイロット信号を受信すると、接続中の基地局１００_１に、基地局１００_１以外の基地局１００_４から送信されるパイロット信号を受信したことを通知する。この時、移動局６００_１は、受信情報を基地局１００_１へ通知する。また、受信情報を受信した基地局１００_１では、通信制御部１１１が、周辺セル情報テーブルＴ２１を参照し、当該受信情報に含まれるスクランブリングコード“４９９９”が、周辺セル情報テーブルＴ２１に記憶されているスクランブリングコードであるか否かを判定する。
【０１１７】
この時、受信情報に含まれるスクランブリングコード“４９９９”は、全ての基地局の周辺セル情報テーブルＴ２１に記憶されている暫定スクランブリングコードであるため、通信制御部１１１は、周辺セル情報テーブルＴ２１に記憶されていると判定し、自局に設定されている基地局ＩＤ“Ｂ１００１”と、スクランブリングコード“４００１”と、移動局６００_１で受信された無線信号の受信レベル（例えば、“−８０ｄｂｍ”）とを含む隣接局情報を、当該受信情報に含まれる基地局ＩＤ“Ｂ１００４”に対応する新設基地局１００_４へ通知する。この通知を受けた新設基地局１００_４では、隣接局情報取得部１０５が、隣接局情報を取得する。
【０１１８】
ステップＳ１３２において、隣接局情報取得部１０５は、起動させたタイマが、所定の期間を経過したか否かを判定する。また、隣接局情報取得部１０５は、所定の期間が停止していないと判定（Ｎｏと判定）した場合、ステップＳ１３０の動作を繰り返し実行する。
【０１１９】
ステップＳ１３４において、隣接局情報取得部１０５は、起動させたタイマが所定の期間が停止したと判定（Ｙｅｓと判定）した場合、パイロット信号生成部１０６と順位設定部１０８とに、所定の期間が経過したことを通知する。また、隣接局情報取得部１０５は、隣接局情報の取得を停止する。また、この通知を受けたパイロット信号生成部１０６は、パイロット信号の生成及び送信を停止する。
【０１２０】
ステップＳ１４２において、新設基地局１００_４では、自局に電源が投入されて起動を開始した際、近隣局情報取得部１０４が、有線信号通信部１０１と、自局に接続しているルータ２００_１に、要求情報を含む有線信号を送信する。
【０１２１】
ここで、図１１には、ステップＳ１４２において、新設基地局１００_４から送信される要求情報と所定のＴＴＬとを含む有線信号が、複数のルータを介して周辺基地局へ送信される際のイメージが示されている。
【０１２２】
新設基地局１００_４の近隣局情報取得部１０４から送信された有線信号は、例えば、ルータ２００_１に送信される。この時、当該有線信号を受信したルータ２００_１は、当該有線信号に含まれる所定のＴＴＬの値（例えば、“Ａ”）から“１”だけ減算（例えば、“Ａ−１”）し、接続する基地局１００_１乃至１００_２と、ルータ２００_２とに転送（ブロードキャスト転送）する。また、転送された有線信号を受信した、例えば、周辺基地局１００_１は、自局に設定されているスクランブリングコード“４００１”と、自局の基地局ＩＤ“Ｂ１００１”と、有線信号に含まれるＴＴＬの残値“Ａ−１”とを含む応答情報を生成すると共に、当該応答情報を含む有線信号を要求情報の送信元である新設基地局１００_４へ送信する。また、新設基地局１００_４から送信された有線信号は、中継回数が“Ａ”番目のルータ２００_Ａにおいて、ＴＴＬの値が“０”となり、転送が停止される。
【０１２３】
ステップＳ１４４において、有線信号通信部１０１は、周辺基地局（例えば、基地局１００_１）から送信された、応答情報を含む有線信号を受信する。
【０１２４】
ステップＳ１４６において、近隣局情報取得部１０４は、有線信号通信部１０１によって、周辺基地局（例えば、基地局１００_１）から送信された応答情報を含む有線信号が受信されると、当該有線信号から近隣局情報を取得する。具体的に、近隣局情報取得部１０４は、当該応答情報に含まれるＴＴＬの残値から中継回数（ホップ数）を算出する。ここで、近隣局情報取得部１０４は、元のＴＴＬの値（例えば、“Ａ”）から、ＴＴＬの残値（例えば、“Ａ−１”）を減算することで、中継回数（例えば、“１”）を算出する。また、近隣局情報取得部１０４は、算出した中継回数と、当該応答情報に含まれる基地局ＩＤと、スクランブリングコードとを対応付けて近隣局情報テーブルＴ１３に記憶する。
【０１２５】
ステップＳ１５２において、隣接局情報取得部１０５から、所定の期間が経過したことを通知された順位設定部１０８は、隣接局情報テーブルＴ１１と、周辺局情報テーブルＴ１２と、近隣局情報テーブルＴ１３とを参照し、隣接局情報取得部１０５によって取得された隣接局情報と、周辺局情報取得部１０３によって取得された周辺局情報と、近隣局情報取得部１０４によって取得された近隣局情報とに「順位」を対応付ける。
【０１２６】
具体的に、順位設定部１０８は、まず、隣接局情報テーブルＴ１１に記憶されているスクランブリングコード（例えば、“４００１”と“４００３”）の全てに「順位」を対応付けし、次に、周辺局情報テーブルＴ１２に記憶されているスクランブリングコード（例えば、“４００２”）に「順位」を対応付けし、近隣局情報テーブルＴ１３に記憶されているスクランブリングコード（例えば、“４００４”）に「順位」を対応付ける。
【０１２７】
また、順位設定部１０８は、対応付けた「順位」を、隣接局情報テーブルＴ１１と、周辺局情報テーブルＴ１２と、近隣局情報テーブルＴ１３とに記憶すると共に、記憶が完了したことをパラメータ決定部１０９に通知する。
【０１２８】
ステップＳ１５４において、この通知を受けたパラメータ決定部１０９は、暫定スクランブリングコードに替えて自局で用いる無線通信用の恒久パラメータを決定する。具体的に、パラメータ決定部１０９は、隣接局情報テーブルＴ１１と、周辺局情報テーブルＴ１２と、近隣局情報テーブルＴ１３とを参照し、所定の順位（例えば、“４”）よりも高い順位に対応するスクランブリングコード（例えば、“４００１”、“４００２”、“４００３”）とは異なるスクランブリングコード（例えば、“４００４”や“４００５”等）を、恒久スクランブリングコードとして決定する。
【０１２９】
また、パラメータ決定部１０９は、決定した恒久スクランブリングコード（例えば、“４００４”）を通信制御部１１１に通知する。また、パラメータ決定部１０９は、決定した恒久スクランブリングコード“４００４”と、所定の順位（例えば、“４”）よりも高い「順位」に対応する基地局ＩＤ（例えば、“Ｂ１００１”と“Ｂ１００２”と“Ｂ１００３”）とを、パラメータ通知部１１０に通知する。
【０１３０】
ステップＳ１５６において、この通知を受けたパラメータ通知部１１０は、通知された基地局ＩＤ“Ｂ１００１”と“Ｂ１００２”と“Ｂ１００３”に基づいて、当該基地局ＩＤに対応する周辺基地局１００_１乃至１００_３のアドレスを特定すると共に、当該周辺基地局１００_１乃至１００_３へ恒久スクランブリングコード“４００４”を通知する。また、この通知を受けた周辺基地局１００_１乃至１００_３では、周辺セル情報テーブルＴ２１に、通知された恒久スクランブリングコード“４００４”を追加して記憶する。
【０１３１】
なお、パラメータ通知部１１０が、恒久スクランブリングコードを通知する際、基地局ＩＤに対応する周辺基地局のアドレスを特定する方法としては、サーバ３００_１において、基地局ＩＤに対応するアドレスを記憶するデータベースを具備し、パラメータ通知部１１０が、サーバ３００_１に基地局ＩＤを通知してアドレスを問い合わせることで、基地局ＩＤに対応する周辺基地局のアドレスを取得してもよい。また、全ての基地局１００_ｉが、基地局ＩＤに対応するアドレスを記憶するデータベースを具備し、パラメータ通知部１１０は、当該データベースを参照して、基地局ＩＤに対応する周辺基地局のアドレスを特定するように構成されていてもよい。
【０１３２】
ステップＳ１５８において、通信制御部１１１は、パラメータ決定部１０９から通知された恒久スクランブリングコード“４００４”を用いて、下り方向の無線信号の送信を行う。このようにして、新設基地局１００_４では、取得した隣接局情報と、周辺局情報と、近隣局情報とに基づいて、自局で恒久的に使用する恒久スクランブリングコードを設定して、下り方向の無線信号の送信を開始（運用開始）する。なお、上述した新設基地局１００_４では、ステップＳ１１２乃至Ｓ１１４と、ステップＳ１２２乃至Ｓ１３４と、ステップＳ１４２乃至Ｓ１４８とが、それぞれ独立して実行され、又、いずれが先に実行されても良い。
【０１３３】
（順位を決定する際の動作）
次に、上述したステップＳ１５２の動作について、具体的に説明する。図１２には、上述したステップＳ１５２において、順位設定部１０８が、隣接局情報と、周辺局情報と、近隣局情報とに対して、「順位」を対応付ける際のフローチャートが示されている。なお、本実施形態において、隣接局情報テーブルＴ１１と、周辺局情報テーブルＴ１２と、近隣局情報テーブルＴ１３とにおいて、図４（ａ）乃至（ｃ）に示されるように、基地局ＩＤ、スクランブリングコード、受信レベル、中継回数が記憶されていることとする。
【０１３４】
ステップＳ１５２２において、まず、順位設定部１０８は、隣接局情報テーブルＴ１１に記憶されているスクランブリングコードに「順位」を対応付ける。また、隣接局情報テーブルＴ１１において、図４（ａ）に示すように、隣接局情報取得部１０５によって取得された複数のスクランブリングコード“４００１”と“４００３”が記憶されている場合、順位設定部１０８は、対応付けて記憶されている受信レベルの大きいスクランブリングコードほど「順位」を高く対応付ける。具体的に、順位設定部１０８は、隣接局情報テーブルＴ１１を参照し、スクランブリングコード“４００１”と“４００３”とにおいて、それぞれのスクランブリングコードと対応付けて記憶されている受信レベル “−８０ｄｂｍ” と“−９０ｄｂｍ”とを比較し、受信レベルの大きい“−８０ｄｂｍ”に対応付けて記憶されているスクランブリングコード“４００１”の「順位」を “１”として高く対応付け、受信レベル“−９０ｄｂｍ”に対応付けて記憶されているスクランブリングコード“４００３”の「順位」を“２”として対応付ける。
【０１３５】
ステップＳ１５２４において、順位設定部１０８は、周辺局情報テーブルＴ１２を参照し、「順位」を対応付けしていないスクランブリングコードのみに「順位」を対応付ける。具体的に、順位設定部１０８は、周辺局情報テーブルＴ１２を参照し、図４（ｂ）に示すように、スクランブリングコード“４００２”と“４００３”とにおいて、既に「順位」を対応付けたスクランブリングコード“４００３”には、「順位」をつけず、スクランブリングコード“４００２”に「順位」“３”を対応付ける。また、順位設定部１０８は、周辺局情報テーブルＴ１２において、「順位」を対応付けしていないスクランブリングコードが複数記憶されている場合、それぞれのスクランブリングコードと対応付けて記憶されている受信レベルを比較し、受信レベルが高いスクランブリングコードほど「順位」を高く対応付ける。
【０１３６】
ステップＳ１５２６において、順位設定部１０８は、近隣局情報テーブルＴ１３を参照し、「順位」を対応付けしていないスクランブリングコードのみに「順位」を対応付ける。具体的に、順位設定部１０８は、近隣局情報テーブルＴ１３を参照し、図４（ｃ）に示すように、スクランブリングコード“４００１”乃至“４００４”において、既に「順位」を対応付けたスクランブリングコード“４００１”乃至“４００３”には、「順位」をつけず、スクランブリングコード“４００４”に「順位」“４”を対応付ける。
【０１３７】
また、順位設定部１０８は、近隣局情報テーブルＴ１３において、「順位」を対応付けしていないスクランブリングコードが複数記憶されている場合、それぞれのスクランブリングコードと対応付けて記憶されている中継回数を比較し、中継回数が少ないスクランブリングコードほど「順位」を高く対応付ける。
【０１３８】
（第１実施形態に係る基地局の作用・効果）
本実施形態に係る基地局１００_ｉによれば、隣接局情報取得部１０５によって取得されたスクランブリングコード（第１パラメータ）と、周辺局情報取得部１０３によって取得されたスクランブリングコード（第２パラメータ）と、近隣局情報取得部１０４によって取得されたスクランブリングコード（第３パラメータ）とに基づいて、自局で用いる無線通信用の恒久スクランブリングコードを決定する。
【０１３９】
よって、かかる基地局１００_ｉによれば、従来技術のように、自局と周辺基地局との無線信号が重複する無線範囲に存在する移動局でからの通知に基づいて取得したスクランブリングコードのみ、又は、自局で受信した無線信号から取得したスクランブリングコードのみなど、一の手段によって取得したスクランブリングコードに基づいて、自局に設定する恒久スクランブリングコードを決定せず、３つの異なる手段で取得したスクランブリングコードに基づいて、各スクランブリングコードと異なるように自局に設定する恒久スクランブリングコードを決定する。したがって、周辺基地局で設定されているスクランブリングコードと重複することを低減し、より適切な恒久スクランブリングコードを決定することができる。
【０１４０】
また、本実施形態に係る基地局１００_ｉによれば、取得したスクランブリングコードに無線範囲の重複度合いに応じ「順位」を対応付けると共に、当該順位に基づいて自局に設定する恒久スクランブリングコードを設定するので、無線範囲の重複度合いが高い周辺基地局で設定されているスクランブリングコードと重複することを低減し、より適切な恒久スクランブリングコードを決定することができる。
【０１４１】
また、本実施形態に係る基地局１００_ｉによれば、所定の順位よりも高いスクランブリングコードとは異なるスクランブリングコードを、自局に設定する恒久スクランブリングコードとして決定するので、例えば、使用できるスクランブリングコード数が限られ、恒久スクランブリングコードが、取得したスクランブリングコードと重複する必要性が生じる場合であっても、対応付けられた「順位」の高いスクランブリングコード、つまり無線範囲の重複度合いの大きいことが推測される周辺基地局で設定されているスクランブリングコードとは異なるスクランブリングコードを、自局に設定する恒久スクランブリングコードとして決定することができる。
【０１４２】
また、本実施形態に係る基地局１００_ｉによれば、取得したスクランブリングコードのそれぞれに「順位」を設定する際、隣接局情報取得部１０５で取得したスクランブリングコードの「順位」を最も高く、周辺局情報取得部１０３で取得したスクランブリングコードの「順位」を次に高く近隣局情報取得部１０４で取得したスクランブリングコードの「順位」を最も低く対応付ける。
【０１４３】
つまり、基地局１００_ｉでは、自局との無線範囲の重複度合いの大きいことが推測される周辺基地局に設定されているスクランブリングコードほど高い「順位」を対応付けて、所定の順位よりも「順位」の高いスクランブリングコードとは異なるように、自局に設定するスクランブリングコードを決定するので、自局に設定するスクランブリングコードが、自局との無線範囲が重複度合いの大きい周辺基地局で設定されているスクランブリングコードと重複することを抑制することができる。
【０１４４】
また、本実施形態に係る基地局１００_ｉによれば、隣接局情報取得部１０５によって、複数のスクランブリングコードが取得された場合、それぞれのスクランブリングコードに対して、それぞれのスクランブリングコードが設定されている第１周辺基地局から送信された無線信号の移動局における受信レベルに応じて、「順位」が対応付けられる。よって、基地局１００_ｉは、複数のスクランブリングコードが取得される場合であっても、複数のスクランブリングコードのそれぞれに、自局と周辺基地局との無線範囲の重複度合いに応じて、より正確に「順位」を対応付けることができる。
【０１４５】
また、本実施形態に係る基地局１００_ｉによれば、周辺局情報取得部１０３によって、複数のスクランブリングコードが取得された場合、それぞれのスクランブリングコードに対して、それぞれのスクランブリングコードが設定されている周辺基地局から送信された無線信号の受信レベルに応じて、「順位」が対応付けられる。よって、基地局１００_ｉは、複数のスクランブリングコードが取得される場合であっても、複数のスクランブリングコードのそれぞれに、自局と周辺基地局との無線範囲の重複度合いに応じて、より正確に「順位」を対応付けることができる。
【０１４６】
また、本実施形態に係る基地局１００_ｉによれば、近隣局情報取得部１０４は、要求情報とＴＴＬ（所定の中継回数）とを含む有線信号を送信するので、有線回線で接続される複数の周辺基地局において、自局とのルータの中継回数が所望の範囲内の周辺基地局に対してのみ要求情報を送信して、スクランブリングコードを取得できる。
【０１４７】
また、本実施形態に係る基地局１００_ｉによれば、近隣局情報取得部１０４によって、複数のスクランブリングコードが取得された場合、それぞれのスクランブリングコードに対して、自局からそれぞれのスクランブリングコードが設定されている周辺基地局までのルータ２００_ｎの中継回数に応じて、「順位」が対応付けられる。よって、基地局は、複数のスクランブリングコードが取得される場合であっても、複数のスクランブリングコードのそれぞれに、自局と周辺基地局との有線回線の経路上におけるルータの中継回数に基づいて、自局と周辺基地局との無線範囲の重複度合いを推定し、より正確に「順位」を対応付けることができる。
【０１４８】
このようにして、本実施形態に係る基地局１００_ｉによれば、自局に設定するスクランブリングコード等の無線通信用のパラメータを、周辺基地局で設定されているパラメータと重複することを抑制し、より最適なパラメータを決定することができる。
【０１４９】
[第２実施形態]
次に、本発明の第２実施形態に係る基地局１００_ｉの構成について説明する。以下、第１実施形態に係る基地局１００と異なる部分について主に説明し、同様の機能については、その説明を適宜省略する。本実施形態に係る基地局１００_ｉでは、順位設定部１０８の構成が、上述した第１実施形態に係る基地局１００_ｉと異なる。よって、主に順位設定部１０８の構成について説明する。
【０１５０】
本実施形態に係る基地局１００_ｉでは、順位設定部１０８は、隣接局情報取得部１０５によって取得された複数のスクランブリングコード（第１パラメータ）のそれぞれに順位を設定する際、移動局６００_１乃至６００_３によって受信された受信レベルが所定の受信レベル差以内のスクランブリングコードの順位を、周辺局情報取得部１０３によって取得された同一のスクランブリングコード（第２パラメータ）と、当該スクランブリングコードを含む無線信号の受信レベルとに基づいて対応付ける。
【０１５１】
具体的に、本実施形態に係る基地局１００_ｉにおいて、上述したステップＳ１５２の順位設定部１０８の動作に着目して説明する。図１３には、上述したステップＳ１５２において、順位設定部１０８が、隣接局情報と、周辺局情報と、近隣局情報とに対して、「順位」を対応付ける際のフローチャートが示されている。
【０１５２】
なお、ここで、基地局１００_ｉでは、隣接局情報取得部１０５によって複数の基地局ＩＤとスクランブリングコードと移動局での受信レベルとが取得されると共に、周辺局情報取得部１０３においても複数の基地局ＩＤとスクランブリングコードと受信レベルとが取得されることとする。また、本実施形態において、隣接局情報テーブルＴ１１には、図１４（ａ）に示すように、基地局ＩＤと、スクランブリングコードと、受信レベルとが対応付けて記憶されていることとする。また、本実施形態において、周辺局情報テーブルＴ１２には、図１４（ｂ）に示すように、基地局ＩＤと、スクランブリングコードと、受信レベルとが対応付けて記憶されていることとする。
【０１５３】
ステップＳ１５３２において、順位設定部１０８は、まず、隣接局情報テーブルＴ１１を参照し、隣接局情報に「順位」を対応付ける。この時、順位設定部１０８は、それぞれのスクランブリングコードに対して、図１４（ａ）に示すように、所定の受信レベル差として、例えば“３ｄｂｍ”の範囲以内である“−８０ｄｂｍ”と“−８２ｄｂｍ”とに対応するスクランブリングコード“４００２”と“４００３”との「順位」を同一順位“２”として対応付ける。ここで、図１４（ａ）において、スクランブリングコード“４００３”と“４００４”とに対応する“−８２ｄｂｍ”と“−８４ｄｂｍ”も、所定の受信レベル差“３ｄｂｍ”の範囲以内であるが、順位設定部１０８は、既に「順位」“２”を対応付けたスクランブリングコード“４００２”の受信レベルが“−８０ｄｂｍ”、“４００４”の受信レベルが“−８４ｄｂｍ”であり、所定の受信レベル差“３ｄｂｍ”の範囲以内でないため、“４００４”に対しては、「順位」を“４”として対応付ける。
【０１５４】
ステップＳ１５３４において、順位設定部１０８は、同一順位の隣接局情報があるか否かを判定する。また、順位設定部１０８は、判定の結果、同一順位の隣接局情報がないと判定した場合、ステップＳ１５３８の動作を行う。
【０１５５】
ステップＳ１５３６において、順位設定部１０８は、判定の結果、同一順位の隣接局情報があると判定した場合、周辺局情報テーブルＴ１２を参照し、ステップＳ１５３２において同一順位で対応付けたスクランブリングコード“４００２”と“４００３”とに対応する受信レベル“−９５ｄｂｍ”と“−９０ｄｂｍ”とを比較する。そして、順位設定部１０８は、参照した周辺局情報テーブルＴ１２で、受信レベルが大きい“−９０ｄｂｍ”に対応付けられているスクランブリングコード“４００３”を、隣接局情報テーブルＴ１１において、順位を高く“２”として対応付ける。また、順位設定部１０８は、参照した周辺局情報テーブルＴ１２で、受信レベルが小さい“−９５ｄｂｍ”に対応付けられているスクランブリングコード“４００２”を、隣接局情報テーブルＴ１１において、順位を低く“３”として対応付ける。
【０１５６】
このようにして、順位設定部１０８は、図１５に示すように、隣接局情報テーブルＴ１１において、「順位」を同一順位として対応付けたスクランブリングコード“４００２”と“４００３”とに、再度「順位」を対応付けて記憶する。
【０１５７】
なお、ステップＳ１５３８乃至ステップＳ１５４０の動作は、上述したステップＳ１５２４乃至Ｓ１５２６の動作と同様であるため、説明を省略する。
【０１５８】
本実施形態に係る基地局１００_ｉによれば、隣接局情報取得部１０５で取得された複数のスクランブリングコードに「順位」を対応付ける際、隣接局情報取得部１０５で取得された移動局６００_１乃至６００_３での受信レベルが所定の受信レベル差以内のスクランブリングコードに対しては、当該スクランブリングコードと同一の周辺局情報取得部１０３によって取得されたスクランブリングコードが含まれていた無線信号の受信レベルの大きさに関しても考慮して、総合的に「順位」を対応付ける。
【０１５９】
したがって、本実施形態に係る基地局１００_ｉによれば、取得された複数のスクランブリングコードのそれぞれに「順位」を設定する際、当該「順位」をより高精度に設定することができる。また、その結果、基地局１００_ｉは、より適切な恒久スクランブリングコードを決定することができる。
【０１６０】
（その他の実施形態）
上述したように本発明の一例を説明したが、具体例を例示したに過ぎず、特に本発明を限定するものではなく、各部の具体的構成等は、適宜設計変更可能である。例えば、基地局１００_ｉに備えられていた周辺局情報取得部１０３と、近隣局情報取得部１０４と、隣接局情報取得部１０５と、順位設定部１０８と、パラメータ決定部１０９との各種機能は、サーバ３００_１に備えられていてもよい。
【０１６１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。また、各実施形態及び各変更例の作用及び効果は、本発明から生じる最も好適な作用及び効果を列挙したに過ぎず、本発明による作用及び効果は、各実施形態に記載されたものに限定されるものではない。
【図面の簡単な説明】
【０１６２】
【図１】本発明の第１実施形態に係る移動通信システムの構成を示す概略図である。
【図２】本発明の第１実施形態に係る基地局の構成を示すブロック図である。
【図３】（ａ）本発明の第１実施形態に係る要求信号を含む有線信号のフォーマットを示す図である。（ｂ）本発明の第１実施形態に係る応答信号を含む有線信号のフォーマットを示す図である。
【図４】（ａ）本発明の第１実施形態に係る隣接局情報テーブルを示す図である。（ｂ）本発明の第１実施形態に係る周辺局情報テーブルを示す図である。（ｃ）本発明の第１実施形態に係る近接局情報テーブルを示す図である。
【図５】本発明の第１実施形態に係る周辺セル情報テーブルを示す図である。
【図６】本発明の第１実施形態に係るルータの構成を示すブロック図である。
【図７】本発明の第１実施形態に係るサーバの構成を示すブロック図である。
【図８】本発明の第１実施形態に係る基地局ＩＤテーブルを示す図である。
【図９】本発明の第１実施形態に係る基地局の動作を示すフローチャートである。
【図１０】本発明の第１実施形態に係る移動通信システムにおいて、新設基地局が周辺基地局のスクランブリングコードを取得する際のイメージ図である。
【図１１】本発明の第１実施形態に係る基地局から送信された要求情報を含む有線信号が、複数のルータを介して周辺基地局に送信されるイメージを示す図である。
【図１２】本発明の第１実施形態に係る基地局の動作を示すフローチャートである。
【図１３】本発明の第２実施形態に係る基地局の動作を示すフローチャートである。
【図１４】（ａ）本発明の第２実施形態に係る隣接局情報テーブルを示す図である。（ｂ）本発明の第２実施形態に係る周辺局情報テーブルを示す図である。
【図１５】本発明の第２実施形態において、順位を再設定された隣接局情報テーブルを示す図である。
【符号の説明】
【０１６３】
１…移動通信システム、１００_１乃至１００_４…周辺基地局、１０１…有線信号通信部、１０２…無線信号通信部、１０３…周辺局情報取得部、１０４…近隣局情報取得部、１０５…隣接局情報取得部、１０６…パイロット信号生成部、１０７…記憶部、１０８…順位設定部、１０９…パラメータ決定部、１１０…パラメータ通知部、１１１…通信制御部、Ｔ１１…隣接局情報テーブル、Ｔ１２…周辺局情報テーブル、Ｔ１３…近隣局情報テーブル、Ｔ２１…周辺セル情報テーブル、Ｔ３１…基地局ＩＤテーブル、２００_１乃至２００_２…ルータ、２０１…通信部、２０２…通信制御部、３００_１…サーバ、３０１…通信部、３０２…記憶部、３０３…通信制御部、６００_１乃至６００_３…移動局、Ｃ１００_１乃至Ｃ１００_４…セル、Ｓ１０２乃至Ｓ１５８…ステップ、Ｓ１５２２乃至Ｓ１５２６…ステップ、Ｓ１５３２乃至Ｓ１５３８…ステップ
【図１】
2008124575.tif 000003
【図２】
2008124575.tif 000004
【図３】
2008124575.tif 000005
【図４】
2008124575.tif 000006
【図５】
2008124575.tif 000007
【図６】
2008124575.tif 000008
【図７】
2008124575.tif 000009
【図８】
2008124575.tif 000010
【図９】
2008124575.tif 000011
【図１０】
2008124575.tif 000012
【図１１】
2008124575.tif 000013
【図１２】
2008124575.tif 000014
【図１３】
2008124575.tif 000015
【図１４】
2008124575.tif 000016
【図１５】
2008124575.tif 000017